(57)【要約】コンパクトな形態を有し、使用時には充電対象の電子機器を支えられるスタンドの形態を取る携帯型バッテリーを提供する。携帯型バッテリーは、本体の内部に二次電池を内蔵し、二次電池を充電するための第一端子と、二次電池を使用するための第二端子を上記本体に備えており、第一端子１３として、不使用時には本体１１の収納部１５に収められ、使用時には上記収納部から引き出せるように、上記本体側とケーブル１６で接続された端子を備えており、第二端子１４として、上記本体１１に出し入れ可能に設けられたコネクター端子を備えており、本体１１は、内蔵の二次電池１２がウエイトを兼ねる、扁平なベース型を有し、充電時に引き出した部分が、携帯型デジタル機器を載置するためのスタンドとなる。
2013161091.tif 000002
【特許請求の範囲】
【請求項１】
本体の内部に二次電池を内蔵し、二次電池を充電するための第一端子と、二次電池を使用するための第二端子を上記本体に備えた携帯型バッテリーであって、
第一端子として、不使用時には本体の収納部に収められ、使用時には上記収納部から引き出せるように、上記本体側とケーブルで接続された端子を備えており、
第二端子として、上記本体に出し入れ可能に設けられたコネクター端子を備えており、
本体は、内蔵の二次電池がウエイトを兼ねる、扁平なベース型を有し、充電時に引き出した部分が、携帯型デジタル機器のスタンドとなる
携帯型バッテリー。
【請求項２】
本体は、その側面開口部に出し入れ可能に設けたスライド部を有し、上記スライド部に、コネクター端子が内方、上方、外方へ回転可能に軸支され、
上方回転時に携帯型デジタル機器のコネクターポートと接続するように設けられている
請求項１記載の携帯型バッテリー。
【請求項３】
第一端子は、不使用時に本体の収納部に収めた状態において、収納部に磁気吸着により固定されるように磁石又は磁気感応部材を備えている
請求項１記載の携帯型バッテリー。
【発明の詳細な説明】
【技術分野】
【０００１】
本発明は、本体の内部に二次電池を内蔵し、二次電池を充電するための第一端子と、二次電池を使用するための第二端子を上記本体に備えた携帯型バッテリーに関するものである。
【背景技術】
【０００２】
携帯型デジタル機器、中でも、ｉＰｈｏｎｅ（アップル社の商品名）として知られているスマートフォン、あるいはｉＰｏｄ（アップル社の商品名）として知られているデジタル音楽プレイヤーなど、大画面の液晶ディスプレイを駆動する機器は、電源を確保できることが快適な使用のために重要な条件となる。従来は、ＡＣアウトレットに接続するコネクター付きのコードやＵＳＢ電源アダプターを携行し、必要に応じてＡＣ電源に接続し、充電を行なってきた。
また、ＡＣ電源が得られない状況で上記機器を使用するために、携帯型バッテリーも提供されている。しかし、従来の携帯型バッテリーは、専用の端子が露出した構造であり、そのため埃などが付着したり、ケーブルを持ち歩くような場合にはかさ張るという問題があった。
これに対して先行技術を調査すると、特開２００７−９５４１７号があり、それは、ＵＳＢバスパワー充電の可能なＵＳＢ端子搭載電子機器を充電するバッテリーパックの発明を開示している。同発明はバッテリーパックの両端部に、ＵＳＢプラグとＵＳＢレセプタクルを備えたもので、屋外でも上記の機器を容易に充電することができる。しかし、端子が露出した構造であることは変わらず、埃等に対する防護策が講じられていない。また、従来の携帯型バッテリーは、バッテリーとしての機能しか有していない。しかし、さらに新たな機能ないし用途が付加されたなら、携帯バッテリーもより普及すると考えられる。
【特許文献１】特開２００７−９５４１７号
【発明の開示】
【発明が解決しようとする課題】
【０００３】
本発明は前記の点に鑑みてなされたもので、その課題は、携帯中邪魔にならないコンパクトな形態を有し、使用時には充電対象の電子機器を安定に支えられるスタンドの形態を取る携帯型バッテリーを提供することである。また、本発明の他の課題は、不使用時に第一端子及び第二端子が本体に収納されるようにして、埃の付着や汚れの防止その他不測の事態に対する防護策を講じられるようにすることである。
【課題を解決するための手段】
【０００４】
前記の課題を解決する本発明は、本体の内部に二次電池を内蔵し、二次電池を充電するための第一端子と、二次電池を使用するための第二端子を上記本体に備えた携帯型バッテリーであって、第一端子として、不使用時には本体の収納部に収められ、使用時には上記収納部から引き出せるように、上記本体側とケーブルで接続された端子を備えており、第二端子として、上記本体に出し入れ可能に設けられたコネクター端子を備えており、本体は、内蔵の二次電池がウエイトを兼ねる、扁平なベース型を有し、充電時に引き出した部分が、携帯型デジタル機器のスタンドとなるという構成を備えている。なお、第一端子は二次電池の充電にも使用される。
本発明の携帯型バッテリーは、二次電池を充電するための第一端子と、二次電池を使用するための第二端子を、不使用時に本体に収納可能にした構成を有する。ここで、第一端子は内蔵の二次電池を充電する回路を構成し、第二端子は二次電池によって携帯型デジタル機器を充電する回路を構成する。また、第一端子は、前記先行発明に記載されているＵＳＢプラグ等、第二端子は、ＵＳＢレセプタクル等と呼ばれるものを含む。なお、ＵＳＢ端子にはタイプＡ、タイプＢ、ミニＡ、ミニＢ、マイクロＡ、マイクロＢ等その他多くの種類があるが、本発明はそのどれにも適用することができる。
上記の構成において、第一端子としては、不使用時には本体の収納部に収められ、使用時には上記収納部から引き出せるように、上記本体側とケーブルで接続されたＵＳＢ端子等の端子を備えられる。本体側と第一端子とがケーブルで接続されていることにより、パワーソースの端子に対して第一端子を任意の位置で接続することができる。第一端子のＵＳＢ端子は、本体の収納部に収められるために露出せず、出っ張ることもない。
また、本発明の携帯型バッテリーは、第二端子として、上記本体に出し入れ可能に設けられたコネクター端子を備えている。本体に出し入れ可能な第二端子であるので、本体から出っ張ることがない。また、第二端子は本体に出し入れ可能、つまり不使用時に本体の内部に押し込まれ、使用時に引き出されるので、やはり端子は露出せず、埃を付着させたり、汚したりすることがない。そして充電時に引き出した部分は、携帯型デジタル機器のスタンドとして使用される。
本発明において、本体が、内蔵の二次電池がウエイトを兼ねる、扁平なベース型を有しており、上記本体の側面開口部に出し入れ可能にスライド部を設け、上記スライド部に、コネクター端子が内方、上方、外方へ回転可能に軸支され、上方回転時に携帯型デジタル機器のコネクターポートと接続するように設けられているという構成は、実施形態として好ましいものである。コネクター端子を内方に向けて収納状態とし、上方に向けて携帯型デジタル機器を立てて支持しながら充電ないし駆動する状態とし、外方へ回転させて携帯型デジタル機器にプラグとして接続して充電ないし駆動する状態とすることができる。
また、ＵＳＢ端子等から成る第一端子は、不使用時に本体の収納部に収めた状態において、収納部と磁気吸着により固定するように磁石又は磁気感応部材を備えていることが望ましい。第一端子は収納部に嵌め込んでも脱落の恐れなく収納することができるとともに、磁気吸着手段を取ることで、より容易かつ確実に収納状態に固定される。
本発明は以上のように、入出力のための第一端子を不使用時に本体の収納部に収めるとともに、第二端子を本体に出し入れ可能に設けられるので、携帯中邪魔にならないコンパクトな形態となり、また、本体は内蔵の二次電池がウエイトを兼ねる、扁平なベース型を有し、充電時に引き出した部分が、携帯型デジタル機器のスタンドとなるので  付加価値の高い携帯型バッテリーを提供することができる。また、本発明によれば、電力の入力のための第一端子及びバッテリー使用のための第二端子が、不使用時には共に本体に収納され、露出しないので、埃の付着や汚れの防止その他不測の事態に対して万全の防護策が講じられる。
【図面の簡単な説明】
【０００５】
図１は本発明に係る携帯型バッテリーの一例を示すもので、Ａは底面図、Ｂは正面図、Ｃは上面図、Ｄは側面図である。
図２は同上のものの端子を引き出した状態を示す斜視図である。
図３は同上のものの第一端子をＵＳＢポートに接続し、第二端子を外向きの状態にした斜視図である。
図４は図１ＢのＩＶ−ＩＶ線断面図である。
図５は本発明のバッテリーと携帯型デジタル機器を接続した状態の説明図である。
【発明を実施するための最良の形態】
【０００６】
以下図示の実施形態を参照して本発明をより詳細に説明する。図１は本発明に係る携帯型バッテリー１０の実施形態の一例を示すものである。本体１１は内部に二次電池１２を内蔵しており、また、本体１１はこの二次電池１２を充電するための第一端子１３と、二次電池１２を使用するための第二端子１４を備えている。
上記の本体１１は、扁平なベース型に形成されている。この扁平型は二次電池１２の形態と関連するもので、片手に収まる程度の大きさに形成され、図示のものの場合、正面形状を台形とし（図１Ｂ）、側面形状を平行四辺形として（図１Ｄ）、扱い易い形態にデザインされている。内蔵の二次電池１２はウエイトを兼ね、携帯型デジタル機器Ｄを立てて接続した場合の安定が得られるように図られている（図５参照）。
上記第一端子１３として、不使用時には本体１１の収納部１５に収められ、使用時には上記収納部１５から引き出せるように、上記本体側とケーブル１６で接続されたＵＳＢ端子を備えている。１７はケーブル嵌め込み溝であり、ケーブル引き出し口１８から二辺余りを回って収納部１５に通じており、ケーブル１６は本体内部から引き出し及び本体内部へ押し込み可能に設けられている。
また、第一端子１３であるＵＳＢ端子は、不使用時に本体１１の収納部１５に収めた状態において、収納部１５に磁気吸着により固定されるように磁石又は磁気感応部材を備えている（図４参照）。１９Ｎ、１９Ｓは、この実施形態における磁石又は磁気感応部材であり、磁石としては各種の磁性体から成る小片、磁気感応部材としては磁気に感応する各種の金属が使用される。
第二端子１４として備えているのは、上記本体１１に出し入れ可能に設けられたコネクター端子である（図２、図３参照）。この実施形態では、上記本体１１に側面開口部２０を設け、この側面開口部２０に出し入れ可能にスライド部２１を設けている。上記スライド部２１は、本体１１に周知の構造によって摺動可能に取り付けたもので、不使用時に押し込んだときは本体１１の側面の一部となる（図１Ｃ参照）。２２は指当て用の突部であり（図１Ａ）、スライド部２１を押し出す操作を分かり易くするために、スライド部２１の背面側に設けられている。しかし、上記突部２２を省略しても、殆ど支障はないであろう。
さらに、上記スライド部２１に、第二端子１４であるコネクター端子が内方、上方、外方へ回転可能に軸支されている。故に、第二端子１４を図２の鎖線図示のように内向きして押し込むと、本体１１の中に入り込んで全く露出しない状態になる（図１参照）。第二端子１４を取り付けたスライド部２１は左右両側に立ち上がり部２３、２４を有し、その間に回転部材２５を配置し、回転部材２５を立ち上がり部２３、２４に支軸２６により軸支し、かつ、支軸２６を中心として回転可能に設けている（図５参照）。
コネクター端子を外方へ向けた状態は図２の実線で、また、コネクター端子を内方へ向けた状態は図２の鎖線で示してあり、内向きではコネクター端子は左右立ち上がり部２３、２４の間の空所に収められる。コネクター端子を斜め上方へ向けた状態は図５に示されており、図５から明らかなように、スライド部２１の本体１１から外方への引き出し量は適宜調節可能である。なお、２７はパイロットランプを示す。
このような構成を有する本発明の携帯型バッテリー１０は、不使用時、図１に示したように内蔵の二次電池よりもやや大きく、突起などのない扁平な形状を有するに過ぎない。このため携帯中に第一端子１３や第二端子１４が何かに引っ掛かったり、手探りで触れてそれらが外れてしまったりすることがない。このように、端子は、不使用状態において完全に収納され、端子の金属面は埃や手の脂などから保護される。
そして収納部１５に収められている第一端子１３を接続するときには、磁気的に吸着しているものを、例えば爪を引っ掛けて容易に外すことができ、使用後収めるときは磁気によって自動的に張り付くようになるので、扱いが非常に容易である。また、本体１１に出し入れ可能に設けられているコネクター端子にしても、使用時はスライド部２１を指先で押し出して上向きないしは外向きにし、仕舞うときは内向きにして押し込めば良いので、扱いを間違えることがない。
本発明のものは、第一端子１３のＵＳＢ端子をパーソナルコンピューターＰＣ等のＵＳＢポートに接続して、二次電池１２を充電することができる（図３参照）。また、第二端子１４にｉＰｈｏｎｅ（アップル社の商品名）として知られているスマートフォン、或いはｉＰｏｄ（アップル社の商品名）として知られている携帯型デジタル音楽プレイヤー等の携帯型デジタル機器Ｄを接続して使用することができる（図５参照）。
第二端子１４に携帯型デジタル機器Ｄを接続する場合、スライド部２１を本体側へ少し押し込み、携帯型デジタル機器Ｄの背面と本体正面の傾斜面１１ａを、図５に示すように接触させるようにして使用する。この場合、携帯型デジタル機器Ｄを接続し、充電したままスピーカーを用いて通話する等の使用方法も可能である。このように、本発明の携帯型バッテリー１０は、持ち歩き時はフラットな形態になり、充電するときは卓上等に置いてスタンドとして使用することができ、単なるバッテリーに止まらない魅力ある製品となる。
【符号の説明】
【０００７】
１０  携帯型バッテリー
１１  本体
１２  二次電池
１３  第一端子
１４  第二端子
１５  収納部
１６  ケーブル
１７  ケーブル嵌め込み溝
１８  ケーブル引き出し口
１９Ｎ、１９Ｓ  磁石又は磁気感応部材
２０  側面開口部
２１  スライド部
２２  指当て用突部
２３、２４  立ち上がり部
２５  回転部材
２６  支軸
２７  パイロットランプ
【図１】
2013161091.tif 000003
【図２】
2013161091.tif 000004
【図３】
2013161091.tif 000005
【図４】
2013161091.tif 000006
【図５】
2013161091.tif 000007
【国際調査報告】
2013161091.tif 000008
2013161091.tif 000009